(57)【要約】【課題】ネットワークを介してユーザ端末から送信された画像に関する情報に基づいて任意の刺繍対象に刺繍を施すことで、新たな楽しみ方ができる線画刺繍システムおよび方法ならびにプログラムの提供する。【解決手段】ネットワーク３を介してユーザ端末５から受信した画像に関する情報に基づいて任意の刺繍対象に刺繍を施すサービスを提供する線画刺繍システムであって、上記画像に関する情報に基づいて線画情報を生成する線画情報生成手段３３と、上記線画情報に基づいて刺繍情報を生成する刺繍情報生成手段４５と、上記刺繍情報に基づいて刺繍ミシン１１を制御する刺繍ミシン制御装置７に対し、ネットワーク３を介して上記刺繍情報を送信する送受信制御部１３とを備える。【選択図】図２
2004329580.tif 000002
【特許請求の範囲】
【請求項１】
ネットワークを介してユーザ端末から受信した画像に関する情報に基づいて任意の刺繍対象に刺繍を施すサービスを提供する線画刺繍システムであって、
上記画像に関する情報に基づいて線画情報を生成する線画情報生成手段と、
上記線画情報に基づいて刺繍情報を生成する刺繍情報生成手段と、
上記刺繍情報に基づいて刺繍ミシンを制御する刺繍ミシン制御装置に対し、ネットワークを介して上記刺繍情報を送信する送信手段とを備えたことを特徴とする線画刺繍システム。
【請求項２】
上記画像に関する情報、上記線画情報、上記刺繍情報のうち少なくともいずれかを格納する第１情報格納手段を備えた請求項１記載の線画刺繍システム。
【請求項３】
ユーザ端末から受信した識別情報に応じて認証を行う認証手段と、第１情報格納手段に格納された情報を管理する情報管理手段とを備え、上記情報管理手段は、上記認証手段の識別結果に応じて第１情報格納手段に格納された情報を抽出する請求項１または２記載の線画刺繍システム。
【請求項４】
予め定めた情報を格納する第２情報格納手段を備え、上記刺繍情報は、上記第２情報格納手段に格納された予め定めた情報を含む請求項１〜３のいずれか一項に記載の線画刺繍システム。
【請求項５】
上記ユーザ端末から受信した操作入力に応じて、上記画像に関する情報、上記線画情報、上記刺繍情報のうち少なくともいずれかを修正する修正手段を備えた請求項１〜４のいずれか一項に記載の線画刺繍システム。
【請求項６】
ネットワークを介してユーザ端末から受信した画像に関する情報に基づいて任意の刺繍対象に刺繍を施すサービスを提供する線画刺繍方法であって、
上記画像に関する情報に基づいて線画情報を生成するステップと、
上記線画情報に基づいて刺繍情報を生成するステップと、
上記刺繍情報に基づいて刺繍ミシンを制御する刺繍ミシン制御装置に対し、ネットワークを介して上記刺繍情報を送信するステップとを備えたことを特徴とする線画刺繍方法。
【請求項７】
ネットワークを介してユーザ端末から受信した画像に関する情報に基づいて任意の刺繍対象に刺繍を施すサービスを提供する線画刺繍プログラムであって、
上記画像に関する情報に基づいて線画情報を生成する手順と、
上記線画情報に基づいて刺繍情報を生成する手順と、
上記刺繍情報に基づいて刺繍ミシンを制御する刺繍ミシン制御装置に対し、ネットワークを介して上記刺繍情報を送信する手順とをコンピュータ装置に実行させることを特徴とする線画刺繍プログラム。
【発明の詳細な説明】
【０００１】
【発明の属する技術分野】
本発明は、ネットワークを介してユーザ端末から送信された画像に関する情報に基づいて任意の刺繍対象に刺繍を施すサービスを提供する線画刺繍システムおよび方法ならびにプログラムに関するものである。
【０００２】
【従来の技術】
人物等の被写体映像を所定の背景に取込み、これをシール化する、通称プリントクラブ（商標）と呼ばれるプリント作成装置は、ここ数年、女子中・高生などを中心として爆発的な人気を呼んでいる。また、最近ではプリント作成装置自体も、装置内に所定の画像データを持ち、例えば被写体映像にアイドルタレントなどの映像を合成するものや、あるいはこのようにして取込まれた被写体映像を名刺やカードに取込んで提供するものなどが開発され、印刷素材自体もバリエーションに富んだものとなっている。
【０００３】
しかし、プリントクラブ装置において供給されるプリントは、シールタイプのものであるため、身の周りのグッズ、例えば、シール手帳やステーショナリー等に貼ったり、プリント同士を交換し合うという用途に限定されてしまっていた。そこで、プリント作成装置の印刷対象として熱転写可能な素材を用いることにより、プリント購入者は、装置から排出されたプリントパターンを、例えばＴシャツやカップなどに転写して楽しむことができ、従来のシール型プリントに比較して貼付対象が拡大し、異なった楽しみ方を提供できるプリント作成装置が提案されている（例えば、特許文献１参照）。
【０００４】
また、コンピュータを利用した家庭用ミシン或いは刺繍ミシンにおいては、スキャナーにより読み取った図形データを模様縫いデータに変換し、この模様縫いデータを用いてミシンに装着した刺繍枠を移動させて読み取った図形と同様の縫目形状を形成していた。しかしながら、スキャナーを利用するため、予めスキャニングするための図形が描かれた用紙や、個々のパターンを準備しなければならず、準備作業が面倒であった。そこで、デジタルカメラで写されたデータに基づいて縫いデータが作成されてミシンが模様縫いを施すことができ、模様が描かれた用紙を準備したり、個々のパターンを準備する必要が無く、使用者は簡単にミシンを利用して好みの模様縫いが形成できる模様縫いミシンが提案されている（例えば、特許文献２参照）。
【０００５】
【特許文献１】
特開２０００−２８０５６５号公報（第４頁、段落３６、図２）
【０００６】
【特許文献２】
特開２００２−７８９９２号公報（第３頁、段落２６、図２）
【０００７】
【発明が解決しようとする課題】
しかしながら、上記プリント作成装置では、プリントパターンは、プリント作成装置の印刷対象として熱転写可能な素材を用いて、例えばＴシャツやカップなどに転写されるため、その転写されたＴシャツやカップを洗濯または洗浄することでプリントパターンの色褪せや剥離等の劣化が生じる場合がある。このため、シール型プリントに比較して貼付対象が拡大しても、ユーザの楽しみに欠ける可能性がある。
【０００８】
また、上記模様縫いミシンでは、デジタルカメラで写されたデータに基づいて縫いデータが作成されてミシンが模様縫いを施すことができても、模様縫いミシンの機能や性能が良くなければ、ユーザの好みに応じた模様縫いを施すことが困難な場合がある。また、ユーザの好みに応じた模様縫いを施すことができる機能や性能の良い模様縫いミシンはユーザが所有するには高価である場合があり、ユーザはこのような模様縫いミシンを所有するまで簡単に模様縫いミシンを利用して好みの模様縫いが形成することができない場合がある。また、機能や性能が良ければ、ユーザはそれに応じて操作方法を理解する必要があり、気軽に模様縫いミシンを利用することができない場合がある。
【０００９】
本発明は、このような事情に鑑みなされたもので、ネットワークを介してユーザ端末から送信された画像に関する情報に基づいて任意の刺繍対象に刺繍を施すことで、新たな楽しみ方ができる線画刺繍システムおよび方法ならびにプログラムの提供を目的とする。
【００１０】
【課題を解決するための手段】
上記目的を達成するため、本発明の線画刺繍システムは、ネットワーク（例えば、後述のネットワーク３）を介してユーザ端末（例えば、後述のユーザ端末５）から受信した画像に関する情報（例えば、後述の画像データ）に基づいて任意の刺繍対象に刺繍を施すサービスを提供する線画刺繍システムであって、上記画像に関する情報に基づいて線画情報（例えば、後述の線画データ）を生成する線画情報生成手段と、上記線画情報に基づいて刺繍情報（例えば、後述の刺繍データ）を生成する刺繍情報生成手段と、上記刺繍情報に基づいて刺繍ミシン（例えば、後述の刺繍ミシン１１）を制御する刺繍ミシン制御装置（例えば、後述の刺繍ミシン制御装置７）に対し、ネットワークを介して上記刺繍情報を送信する送信手段（例えば、後述の送受信制御部１３）とを備えたことを要旨とする。
【００１１】
また、本発明の線画刺繍方法は、ネットワークを介してユーザ端末から受信した画像に関する情報に基づいて任意の刺繍対象に刺繍を施すサービスを提供する線画刺繍方法であって、上記画像に関する情報に基づいて線画情報を生成するステップと、上記線画情報に基づいて刺繍情報を生成するステップと、上記刺繍情報に基づいて刺繍ミシンを制御する刺繍ミシン制御装置に対し、ネットワークを介して上記刺繍情報を送信するステップとを備えたことを要旨とする。
【００１２】
また、本発明の線画刺繍プログラムは、ネットワークを介してユーザ端末から受信した画像に関する情報に基づいて任意の刺繍対象に刺繍を施すサービスを提供する線画刺繍プログラムであって、上記画像に関する情報に基づいて線画情報を生成する手順と、上記線画情報に基づいて刺繍情報を生成する手順と、上記刺繍情報に基づいて刺繍ミシンを制御する刺繍ミシン制御装置に対し、ネットワークを介して上記刺繍情報を送信する手順とをコンピュータ装置に実行させることを要旨とする。
【００１３】
すなわち、本発明は、ネットワークを介してユーザ端末から受信した画像に関する情報に基づいて線画情報を生成し、上記線画情報に基づいて刺繍情報を生成する。そして、上記刺繍情報に基づいて刺繍ミシンを制御する刺繍ミシン制御装置に対し、ネットワークを介して上記刺繍情報を送信する。
【００１４】
このように、本発明では、ネットワークを介してユーザ端末から受信した画像に関する情報に基づいて刺繍ミシンを制御することができる。したがって、刺繍ミシンに任意の刺繍対象をセットし、ユーザがネットワークを利用してユーザ端末から画像に関する情報を送信すると、画像に関する情報が表す画像が刺繍ミシンによって任意の刺繍対象に線画として刺繍される。これにより、ユーザは、例えばデジタルカメラで撮影した画像、いわゆるＣＧ（コンピュータグラフィックス）で予め作成した画像等を線画として任意の刺繍対象（例えば、Ｔシャツ、Ｙシャツ、ポロシャツ、ネクタイ等）に刺繍することができる。すなわち、ユーザにユーザの趣向に合致した刺繍を提供することができるとともに、ユーザは簡単に任意の刺繍対象に好みの刺繍をすることができる。
【００１５】
本発明において、上記画像に関する情報、上記線画情報、上記刺繍情報のうち少なくともいずれかを格納する第１情報格納手段（例えば、後述のユーザ用線画データベース１９）を備えた場合には、これらの情報を格納することができる。したがって、ユーザは、上記のような格納された情報に基づいて任意の刺繍対象に好みの刺繍をすることができる。
【００１６】
本発明において、ユーザ端末から受信した識別情報（例えば、後述のＩＤ番号）に応じて認証を行う認証手段（例えば、後述の認証手段３１）と、第１情報格納手段に格納された情報を管理する情報管理手段（例えば、後述のデータベース管理手段３５）とを備え、上記情報管理手段は、上記認証手段の識別結果に応じて第１情報格納手段に格納された情報を抽出する場合には、ユーザは、識別情報をユーザ端末に入力することで、上記認証手段の識別結果に応じた情報を抽出することができる。したがって、ユーザ端末から上記画像に関する情報を送信することなく、簡単に任意の刺繍対象に好みの刺繍をすることができる。
【００１７】
本発明において、予め定めた情報（例えば、後述のデジタルコンテンツ）を格納する第２情報格納手段（例えば、後述のサーバ用線画データベース２１）を備え、上記刺繍情報は、上記第２情報格納手段に格納された予め定めた情報を含む場合には、任意の刺繍対象に予め定めた情報を含んだ刺繍を施すことができる。すなわち、例えば画像データがユーザの顔の画像を表し、予め定めた情報が眼鏡等の画像を表す場合には、ユーザの顔の画像に眼鏡を合成した線画を任意の刺繍対象に刺繍することができる。これにより、もともとの画像には存在しなかったものを付加した刺繍を施すことができて、ユーザの刺繍を施す面白みが一層増す。
【００１８】
本発明において、上記ユーザ端末から受信した操作入力に応じて、上記画像に関する情報、上記線画情報、上記刺繍情報のうち少なくともいずれかを修正する修正手段（例えば、後述の修正手段４３）を備えた場合には、ユーザは、ユーザ端末を操作することで上記画像に関する情報、上記線画情報、上記刺繍情報を修正することができる。したがって、ユーザは、例えば上記線画情報を修正する場合、線画情報が表す線画のうち不要な部分（領域）を消すことができる。これにより、線画情報生成手段によって生成された線画に不要な線が含まれていたとしてもそれを消すことにより、スッキリした線画とし、無駄な線のない美しい刺繍をすることができる。
【００１９】
【発明の実施の形態】
つぎに、本発明の実施の形態を詳しく説明する。
【００２０】
図１は、本発明のシステムの一実施の形態を示す図である。図において、１は経路制御装置および電話回線等の通信回線を経由してＬＡＮ或いはインターネットのようなネットワーク３に接続され、本システムによりネットワーク３を介してユーザ端末５から受信した画像情報（後述の画像データ）に基づいて任意の刺繍対象に刺繍を施すサービスを提供するサーバである。
【００２１】
また、図ではサーバ１を１つの装置として示しているが、複数でもよい。また、上記サーバ１内には、ＷＷＷサーバ機能，メールサーバ機能，データベースサーバ機能等の各種機能を実現するために必要なハードウェア資源やソフトウェア等、本システムで必要とされる各種のソフトウェアおよびハードウェアが備わっている。具体的には、ハードウェアとしてプログラム処理を行う中央演算装置（ＣＰＵ）と、ユーザや店員が操作するためのキーボードやマウス等の入力手段と、種々の画像を表示するＣＲＴディスプレイなどの表示手段と、ＲＡＭ，ＲＯＭ，ハードディスクドライブ，フレキシブルディスクドライブ，ＣＤ−ＲＯＭドライブ等の記憶手段と、モデムやルータなどのコンピュータネットワークに接続するための通信手段とを備える。
【００２２】
５はサーバ１にネットワーク３を経由して接続可能なユーザ端末（ショップ端末）、７は後述の刺繍ミシン１１を制御する刺繍ミシン制御装置、１１は刺繍情報（後述の刺繍データ）に基づいてＴシャツやＹシャツ等の任意の刺繍対象に刺繍を行う刺繍ミシンである。ここで、画像情報（画像データ）とは、例えば、デジタルカメラ、ムービカメラ等で撮影された画像を表すデータ、いわゆるスキャナで読み取った画像を表すデータ、いわゆるＣＧ（コンピュータグラフィックス）で予め作成した画像を表すデータ等である。線画情報（線画データ）とは、上記画像の線画を表すデータである。刺繍情報（刺繍データ）とは、上記線画を刺繍するためのデータ（刺繍ミシン１１を制御する制御指令等を含む）である。
【００２３】
なお、画像は、人間、動物等の立体形状の物体を一方向から撮影して得られたものであってもよい。また、上記物体は、布、不織布、フェルト、紙等を用いることができ、それらの繊維は天然素材であってもよいし、合成繊維を用いることもできる。また、上記物体は、樹脂フィルム等、薄葉状の化学物質からなるものであってもよい。また、任意の刺繍対象は、対面、曲面状の物体であってもよい。
【００２４】
ユーザが上記画像データを記憶させたＨＤＤ（ハードディスクドライブ）、ＩＣメモリカード、フレキシブルディスク、フラッシュメモリ等の記録媒体をユーザ端末５に読み取らせて画像データを送信できるように、ユーザ端末５にこれらの記録媒体から画像データを読み出す画像データ読取手段（例えば、ＣＤ−ＲＯＭドライブ等）を設けてもよい。
【００２５】
本発明の線画刺繍システムを使用するユーザは、ユーザ端末（例えば、パソコン、ＰＤＡ（個人情報端末）、携帯電話機（いわゆるカメラ付携帯電話端末等））５をサーバ１に接続し、必要に応じてＩＤ番号を入力後、起動したサーバ１との情報の送受信によって、ユーザ端末５のディスプレイに表示される画面上での操作やデータ確認その他の作業を行うことができる。
【００２６】
上記ユーザ端末５は、プログラム処理を行う中央演算装置（ＣＰＵ）と、キーボードやマウス等の入力手段と、ＣＲＴディスプレイなどの表示手段と、ＲＡＭ，ＲＯＭ，ハードディスクドライブ，フレキシブルディスクドライブ，ＣＤ−ＲＯＭドライブ等の記憶手段と、モデムやルータなどのコンピュータネットワークに接続するための通信手段とを備えた一般的なコンピュータを使用することができる。また、上記各ユーザ端末５として、ｉモード（登録商標）等の情報閲覧機能を備えた携帯電話端末等を用いることもできる。
【００２７】
上記ユーザ端末５は、サーバ１と同様にネットワーク３に接続されるとともに、ネットワーク３上に存在する各種のＷＷＷサーバに存在するウェブページを閲覧するＷＷＷブラウザ、ユーザによるユーザ端末５の操作入力をサーバ１に送信するプログラム等を備え、ネットワーク３を介してサーバ１と接続されて通信を行い得るようになっている。
【００２８】
本発明のシステムを構成するサーバ１は、任意の場所に設置可能である。例えば、完成した刺繍を店頭販売する場合、完成した刺繍をユーザに提供する店にユーザ端末５と刺繍ミシン制御装置７および刺繍ミシン１１を設置し、店外にサーバ１を設置してもよい。また、サーバ１、ユーザ端末５、刺繍ミシン制御装置７および刺繍ミシン１１を店内に設置してもよい。また、サーバ１、ユーザ端末５、刺繍ミシン制御装置７および刺繍ミシン１１を一体化し、店内に設置してもよい（いわゆるスタンドアロン）。また、ユーザ端末５は、店内に設置されていなくてもよい（この場合、例えば携帯電話端末等のユーザ端末５でサーバ１に接続して利用する）。すなわち、サーバ１は、画像データを受信でき、刺繍ミシン１１が接続できる環境であれば、任意の場所に設置可能である。
【００２９】
図２は、上記サーバ１を示すシステム構成図である。図において、１３は送受信制御部であり、ネットワーク３を介して行われるユーザ端末５との間での画像データの送受信を含む通信の制御、ネットワーク３を介して行われる刺繍ミシン制御装置７との間での刺繍データ等（刺繍ミシン制御装置７の制御指令を含む）の送受信を含む通信の制御、ユーザ端末５からの操作入力の受信等を行う。すなわち、送受信制御部１３は、上記刺繍データに基づいて刺繍ミシン１１を制御する刺繍ミシン制御装置７に対し、ネットワーク３を介して上記刺繍データを送信する送信手段としての機能を有する。１６は格納部であり、ユーザデータベース１７，ユーザ用線画データベース１９，サーバ用線画データベース２１，ウェブページ格納部２３，プログラム格納部２５をはじめとし、本発明を実現するために必要な各種のデータやプログラムが格納されている。
【００３０】
上記ユーザデータベース１７には、少なくとも、登録されたユーザである会員の情報が格納されている。このユーザデータベース１７に格納されるユーザ情報としては、例えば、ユーザの電子メールアドレス、会員ごとに割り当てられた会員ＩＤやパスワード等の認証情報、会員の氏名、住所、電話番号、ファックス番号、生年月日、年齢、性別、居住地域、学校名、職業等のデータ等をあげることができる。
【００３１】
上記ユーザ用線画データベース１９には、線画データが記憶（格納）されている。格納された線画データは、後述のデータベース管理手段３５によって後述の認証手段３１の識別結果に応じてユーザ用線画データベース１９から抽出される。すなわち、線画データは、ユーザ用線画データベース１９にＩＤ番号と関連付けて格納される。これにより、ユーザが後述の認証の際にＩＤ番号を指定するごとにユーザ用線画データベース１９の中からそのＩＤ番号に対応した線画データが読み出される。なお、実施の形態では、ユーザ用線画データベース１９には、上記のように線画データが格納されているが、画像データ、刺繍データ等も格納されていてもよい。これにより、ユーザは、線画データと同様に、ＩＤ番号に対応した画像データ、刺繍データを抽出することができる。
【００３２】
上記サーバ用線画データベース２１には、デジタルコンテンツが記憶されている。デジタルコンテンツは、予め定めた情報（画像データと合成可能な線画データ）であり、例えば、後述の文字、数字、眼鏡、髯、ヘアピース等を表す線画データである（図７参照）。
【００３３】
上記ウェブページ格納部２３には、サービスを提供するウェブサイトを構成するウェブページのファイルが格納されている。このウェブページにより、インタネット等のネットワーク３を介して画像データに基づいた刺繍を行うことができる。
【００３４】
上記プログラム格納部２５にはメインプログラムが格納されている。このメインプログラムは、後述するデータ処理部２７において用いられるものであり、後述するような各種の動作をつかさどるプログラムから構成されている。
【００３５】
２７はデータ処理部であり、データ検索，データ作成等、後述する本発明のシステムにおける各種の機能を実現させる。詳細には、データ処理部２７は、認証手段３１、線画情報生成手段３３、データベース管理手段３５、線画合成手段３７、料金算出手段３９、確認手段４１、修正手段４３、刺繍情報生成手段４５等をはじめとし、本発明を実現するためのデータ処理を行う各種の手段を備えている。
【００３６】
上記認証手段３１は、ユーザ端末５に入力されたＩＤ番号からアクセスしたユーザが登録された本人であるか否かの認証、未登録のユーザについて、ＩＤ番号を発行することによる初期登録も行う。すなわち、この認証手段３１は、ユーザ端末５から受信した識別情報（ＩＤ番号）に応じて認証を行う。上記線画情報生成手段３３は、入力された画像データに基づいて線画データを生成する線画処理を行う。具体的には、上記線画情報生成手段３３は、画像データが表す画像の主として輪郭を抽出して線画データを生成する。具体的には、色調や明るさが急激に変化した境界部を認識してそこに線を配置することにより、輪郭や陰影を線画として表すことができる。これにより、輪郭のはっきりした線画で刺繍を施すことができる。
【００３７】
上記データベース管理手段３５は、格納部１６内のユーザデータベース１７、ユーザ用線画データベース１９およびサーバ用線画データベース２１に格納されているデータにつき、新規データの書込み，データの抽出，読み出し，更新等、データベースの管理を行う。すなわち、上記認証手段３１の識別結果に応じてユーザ用線画データベースに格納された情報を抽出する。具体的には、ユーザの入力したＩＤ番号により認証が成立した場合（ＩＤ番号がデータベースに格納された情報と一致した場合）には、ＩＤ番号に対応するデータを抽出する。一方、認証が成立しない場合（ＩＤ番号がデータベースに格納された情報と一致しない場合）は、格納されたデータを抽出できないようになっている。
【００３８】
上記線画合成手段３７は、線画データとデジタルコンテンツを合成する線画合成処理を行う。上記料金算出手段３９は、画像データ、線画データ、刺繍データのうち少なくともいずれかの量、刺繍対象等に基づいて料金を算出する。上記確認手段４１は、ユーザが設定した内容で刺繍を行ってもよいか否かの確認を行う。上記修正手段４３は、ユーザの操作に応じて線画データの修正を行う。すなわち、上記修正手段４３は、上記ユーザ端末５から受信した操作入力に応じて、上記画像データ、上記線画データ、上記刺繍データのうち少なくともいずれかを修正する。上記刺繍情報生成手段４５は、線画データに基づいて刺繍データを生成する。
【００３９】
すなわち、本発明の線画刺繍システムは、ネットワーク３を介してユーザ端末５から受信した画像データに基づいて任意の刺繍対象に刺繍を施すサービスを提供する線画刺繍システムであって、上記画像データに基づいて線画データを生成する線画情報生成手段３３と、上記線画データに基づいて刺繍データを生成する刺繍情報生成手段４５と、上記刺繍データに基づいて刺繍ミシン１１を制御する刺繍ミシン制御装置７に対し、ネットワーク３を介して上記刺繍データを送信する送受信制御部１３とを備える。
【００４０】
より詳しく説明すると、本発明では、ネットワーク３を介してユーザ端末５から受信した画像データに基づいて刺繍ミシン１１を制御することができる。したがって、刺繍ミシン１１に任意の刺繍対象をセットし、ユーザがネットワーク３を利用してユーザ端末５から画像データを送信すると、画像データが表す画像が刺繍ミシン１１によって任意の刺繍対象に線画として刺繍される。これにより、ユーザは、例えばデジタルカメラで撮影した画像、いわゆるＣＧ（コンピュータグラフィックス）で予め作成した画像等を線画として任意の刺繍対象（例えば、Ｔシャツ、Ｙシャツ、ポロシャツ、ネクタイ等）に刺繍することができる。すなわち、ユーザにユーザの趣向に合致した刺繍を提供することができるとともに、ユーザは簡単に任意の刺繍対象に好みの刺繍をすることができる。
【００４１】
また、上記画像データ、上記線画データ、上記刺繍データのうち少なくともいずれかを格納するユーザ用線画データベース１９を備えるため、これらの情報を格納することができる。したがって、ユーザは、上記のような格納されたデータに基づいて任意の刺繍対象に好みの刺繍をすることができる。
【００４２】
また、ユーザ端末５から受信したＩＤ番号に応じて認証を行う認証手段３１と、ユーザ用線画データベース１９に格納された情報を管理するデータベース管理手段３５とを備え、上記情報管理手段は、上記認証手段の識別結果に応じて第１情報格納手段に格納された情報を抽出するため、ユーザは、ＩＤ番号をユーザ端末５に入力することで、上記認証手段３１の識別結果に応じた情報を抽出することができる。したがって、ユーザ端末５から上記画像データを送信することなく、簡単に任意の刺繍対象に好みの刺繍をすることができる。
【００４３】
また、デジタルコンテンツを格納するサーバ用線画データベース２１を備え、上記刺繍データは、上記サーバ用線画データベース２１に格納されたデジタルコンテンツを含むため、任意の刺繍対象にデジタルコンテンツを含んだ刺繍を施すことができる。すなわち、例えば画像データがユーザの顔の画像を表し、予め定めた情報が眼鏡等の画像を表す場合には、ユーザの顔の画像に眼鏡を合成した線画を任意の刺繍対象に刺繍することができる。これにより、もともとの画像には存在しなかったものを付加した刺繍を施すことができて、ユーザの刺繍を施す面白みが一層増す。
【００４４】
また、上記ユーザ端末５から受信した操作入力に応じて、上記画像データ、上記線画データ、上記刺繍データのうち少なくともいずれかを修正する修正手段４３を備えるため、ユーザは、ユーザ端末５を操作することで上記画像データ、上記線画データ、上記刺繍データを修正することができる。したがって、ユーザは、例えば上記線画データを修正する場合、線画データが表す線画のうち不要な部分（領域）を消すことができる。これにより、線画情報生成手段によって生成された線画に不要な線が含まれていたとしてもそれを消すことにより、スッキリとした線画とし、無駄な線のない美しい刺繍をすることができる。
【００４５】
つぎに、図３、図４を参照して、本発明の線画刺繍システムの基本的な動作の第１例について説明する。図３は、未登録ユーザが本発明の線画刺繍システムを利用する場合を示す。以後の説明において「Ｓ」は「ステップ」を意味する。
【００４６】
まず、ユーザは、ネットワーク３を介してサーバ１にユーザ端末５を接続し、後で図５を参照して説明する認証画像において通信可能な状態にログインする（Ｓ１）。ついで、ユーザは、後で図６を参照して説明する画像読込画像において、画像データをサーバ１に入力する（Ｓ２）。ここで、ユーザが後述の画像効果操作領域１０１をクリックすると、画像データに後述のエフェクト処理が行われ、画像表示領域５８に表示される画像の表示態様が変化する。
【００４７】
つぎに、サーバ１は、画像データが入力されると、その画像データに基づいて線画処理（線画情報の生成）を行う（Ｓ３）。ついで、後で図７を参照して説明するデジタルコンテンツ選択画像においてユーザがデジタルコンテンツを選択すると（Ｓ４）、サーバ１は、線画合成手段３７で画像データとデジタルコンテンツとを合成する線画合成処理を行い（Ｓ５）、その合成された線画をユーザ端末５に表示する（Ｓ６）。
【００４８】
ついで、後で図８を参照して説明する線画修正画像が表示され、ユーザは、合成された線画を必要に応じて修正し（Ｓ７）、後で図９を参照して説明する刺繍設定画像で後述の刺繍設定を行い（Ｓ８）、自分で設定した内容を確認する（Ｓ９）。サーバ１は、線画データに基づいて刺繍データの生成を行う（Ｓ１０）。ついで、サーバ１は、料金の算出を行い（Ｓ１１）、ユーザは、その料金の確認をする（Ｓ１２）。そして、ユーザによる料金の支払いが行われると（Ｓ１３）、サーバ１は、このユーザに関する情報（ユーザ情報）をユーザデータベース１７に登録（格納）し（Ｓ１４）、ユーザ登録が行われる。ついで、サーバ１は、ＩＤ番号をユーザに発行し（Ｓ１５）、刺繍ミシン制御装置７に刺繍データを送信する（Ｓ１６）。すなわち、上記刺繍データに基づいて刺繍ミシン１１を制御する刺繍ミシン制御装置７に対し、ネットワーク３を介して上記刺繍データを送信する。ついで、刺繍データに基づいて刺繍ミシン制御装置７が刺繍ミシン１１の制御を開始することで、刺繍ミシン１１は刺繍を開始する（Ｓ１７）。
【００４９】
つぎに、図４を参照して、本発明の線画刺繍システムの基本的な動作の第２例について説明する。
【００５０】
図４は、登録ユーザ（登録済ユーザ）が本発明の線画刺繍システムを利用する場合を示す。まず、ユーザは、ネットワーク３を介してサーバ１にユーザ端末５を接続し、通信可能な状態にログインする（Ｓ２１）。つぎに、ユーザは、後で図５を参照して説明する認証画像において、ＩＤ番号を入力する（Ｓ２２）。サーバ１は、入力されたＩＤ番号に基づいて認証を行う（Ｓ２３）。認証が成立した場合、ユーザ用線画データベース１９の中に記憶された線画データの中からＩＤ番号に対応する線画データを読み出して表示する（Ｓ２４）。
【００５１】
ついで、ユーザ端末５に後で図８を参照して説明する線画修正画像が表示され、ユーザは、合成された線画（Ｓ２４で読み出された線画データ）を必要に応じて修正し（Ｓ２５）、後で図９を参照して説明する刺繍設定画像で後述の刺繍設定を行い（Ｓ２６）、設定した内容を確認する（Ｓ２７）。サーバ１は、線画データに基づいて刺繍データの生成を行う（Ｓ２８）。ついで、サーバ１は、料金の算出を行い（Ｓ２９）、ユーザは、その料金の確認をする（Ｓ３０）。そして、ユーザによる料金の支払いが行われると（Ｓ３１）、サーバ１は、刺繍ミシン制御装置７に刺繍データを送信する（Ｓ３２）。刺繍ミシン１１は、刺繍ミシン制御装置７が刺繍データに基づいて刺繍ミシン１１の制御を開始することで、刺繍を開始する（Ｓ３３）。
【００５２】
つぎに、図５を参照して、認証画像について説明する。認証画像は、ユーザがサーバにアクセス（ネットワーク３等を介してサーバ１に接続すること）したときに表示され、ユーザがサーバ１から発行されたＩＤ番号を有しない場合に選択するためのＩＤ番号なし選択領域５０と、ユーザがサーバ１から発行されたＩＤ番号を有する場合に選択するためのＩＤ番号あり選択領域５１と、発行されたＩＤ番号を入力する領域であるＩＤ番号入力領域５３と、ログイン（ユーザ端末５から本発明の線画刺繍システムの使用を開始）するためのログインボタン５５と、これらの領域やボタンをマウス等の入力手段によりユーザが指し示すためのポインタ５２とで構成される。
【００５３】
図示においては、ユーザによってＩＤ番号あり選択領域５１がポインタ５２により指し示され、クリックされて選択されている。また、図示において、ＩＤ番号入力領域５３には、ユーザによってキーボード等の入力手段でＩＤ番号が入力されている。ここで、クリックとは、上記キーボード、マウス等の所定のボタンを押す操作である。なお、ユーザ端末５として携帯電話を用いた場合、上記操作入力は、携帯電話の所定の操作ボタン等の操作により実現できるようにしてもよい。また、ＩＤ番号なし選択領域５０およびＩＤ番号あり選択領域５１は、いわゆるラジオボタンで構成されている。
【００５４】
つぎに、図６を参照して、画像読込画像について説明する。画像読込画像は、後述の画像読込工程で表示され、読み込んだ画像データを画像として表示する画像表示領域５８と、本発明の線画刺繍システムの進行状況、すなわち、サーバ１の画像読込から刺繍データ送信までの処理の段階（工程）を示す工程表示領域５９と、読み込んだ画像データを編集操作するための読込画像編集操作領域６１と、編集操作の手順を一つ戻すための戻るボタン６３、戻した編集操作の手順を一つ進めるための進むボタン６５と、読込画像編集を終了し、次の工程へ進むための決定ボタン６７と、本発明の線画刺繍システムの使用を終了するための終了ボタン６９と、上記ポインタ５２とで構成される。
【００５５】
工程表示領域５９は、画像データの受信、すなわち、画像データの取り込みを行う工程（画像読込工程）を示す画像読込工程表示領域７１と、読み込んだ画像データ（後述のエフェクト処理が行われた画像データを含む）に基づいて線画データを生成する工程（線画処理工程）を示す線画処理工程表示領域７３と、合成するデジタルコンテンツを選択する工程（選択工程）を示す選択工程表示領域７５と、合成された線画データを修正するための工程（修正工程）を示す修正工程表示領域７７と、ユーザが線画データからどのような糸種、ステッチ（針目、編み目、刺し目等）、色（具体的には、表示された線画のうちのどの線をどの色の糸で刺繍するかを指定）で刺繍するかを設定するための工程（刺繍設定工程）を示す刺繍設定工程表示領域７９と、ユーザが設定した内容で刺繍を行ってもよいか否かの確認を行う工程（確認工程）を示す確認工程表示領域８１と、ＩＤ番号を発行する工程（ＩＤ発行工程）を示すＩＤ発行工程表示領域８３と、生成した刺繍データを送信する工程を示す刺繍データ送信工程表示領域８５とで構成される。
【００５６】
これにより、ユーザに上記進行状況を報知することができるため、ユーザは、例えば次の工程の何を行えるかを把握でき、初めて利用する場合でも円滑に利用することができる。なお、上記工程に対応させて、上記工程表示領域５９に表示される各表示領域を変化させてもよい。例えば、現在の工程が画像読込工程である場合は、画像読込工程表示領域７１を点灯または点滅させるようにしてもよい。上記変化として、色、形、模様等の変化を採用してもよい。また、上記報知として、音による報知を採用してもよい。
【００５７】
読込画像編集操作領域６１は、読み込んだ画像データを画像表示領域５８内でユーザが移動させるための移動操作領域９１と、ポインタ５２により選択されていることを示す選択確認領域９３と、読み込んだ画像データのサイズ（大きさ）をユーザが操作するためのサイズ操作領域９５と、読み込んだ画像データをユーザが回転させるための回転操作領域９７と、読み込んだ画像データの明るさ（色の濃淡、明暗、強弱等などの度合いや色合いを含む）をユーザが操作するための明るさ操作領域９９と、読み込んだ画像データにユーザが所定のデータに変換、いわゆるエフェクト処理するための画像効果操作領域１０１と、上記の操作領域とは別の操作領域を表示させるための編集操作スクロールボタン１０３とで構成される。画像効果操作領域１０１が選択されると、画像表示領域５８に表示される画像にエフェクト処理が行われる。すなわち、エフェクト処理が行われた画像データに基づいて線画データが生成される。
【００５８】
本実施の形態において、ユーザ端末５の操作入力は、キーボードからの操作入力、マウスの操作においては、いわゆるクリック、ドラッグ（マウスの操作で、ボタンを押したままマウスを移動させる）、ドロップ（マウスの操作で、ドラッグした後、マウスのボタンを離すこと）等の操作入力等である。
【００５９】
つぎに、図７を参照して、デジタルコンテンツ選択画像について説明する。デジタルコンテンツ選択画像は、選択工程で表示され、上記画像表示領域５８と、上記工程表示領域５９と、上記戻るボタン６３、上記進むボタン６５と、上記決定ボタン６７と、上記終了ボタン６９と、デジタルコンテンツを画像で表し、ユーザが選択するためのデジタルコンテンツ選択操作領域１１１と、上記ポインタ５２とで構成される。図７に示す画像表示領域５８には、線画処理された画像が表示されている。
【００６０】
デジタルコンテンツ選択操作領域１１１は、文字を表す文字表示領域１１３と、数字を表す数字表示領域１１５と、眼鏡を表す第１コンテンツ表示領域１１７と、髯を表す第２コンテンツ表示領域１１９と、ヘアピースを表す第３コンテンツ表示領域１２１と、その他のデジタルコンテンツを表示させるためのデジタルコンテンツスクロールボタン１２３とで構成される。ユーザは、これらの表示領域の中からデジタルコンテンツを任意に選択し、そのデジタルコンテンツを画像表示領域５８に表示された画像（線画処理された画像）の任意の位置にマウス等の操作入力により合成することができる。なお、本実施の形態では、線画処理が行われた後に、デジタルコンテンツが合成されるようになっているが、これに限定するものではなく、デジタルコンテンツが合成された後に線画処理が行われるようにしてもよい。この場合、デジタルコンテンツは、画像データとして格納されるようにしてもよい。
【００６１】
つぎに、図８を参照して、線画修正画像について説明する。線画修正画像は、修正工程で表示され、上記画像表示領域５８と、上記工程表示領域５９と、上記戻るボタン６３、上記進むボタン６５と、上記決定ボタン６７と、上記終了ボタン６９と、線画修正領域１３１と、上記ポインタ５２とで構成される。図８に示す画像表示領域５８には、デジタルコンテンツが合成された画像が表示されている。
【００６２】
線画修正領域１３１は、合成された画像の一部または全てをユーザが選択するための選択操作領域１３３と、合成された画像の一部または全てをユーザが消去するための消去操作領域１３５と、合成された画像に所定の文字、数字、図形、記号等をユーザが書込むための書込操作領域１３７と、合成された画像をユーザが拡大表示させるための拡大操作領域１３９と、合成された画像をユーザが縮小表示させるための縮小操作領域１４１と、その他の操作領域を表示させるための修正操作スクロールボタン１４３とで構成される。
【００６３】
修正工程おいて、ユーザは、例えば、画像表示領域５８に表示される画像に不要な線がある場合において、消去操作領域１３５を選択し、その不要な線が表示されている領域をポインタ５２でクリックしながら指し示すことでその不要な線を消去することができる。
【００６４】
つぎに、図９を参照して、刺繍設定画像について説明する。刺繍設定画像は、刺繍設定工程で表示され、上記画像表示領域５８と、上記工程表示領域５９と、上記戻るボタン６３、上記進むボタン６５と、上記決定ボタン６７と、上記終了ボタン６９と、刺繍設定領域１５１と、上記ポインタ５２とで構成される。図９に示す画像表示領域５８には、必要に応じて修正された画像が表示されている。
【００６５】
刺繍設定領域１５１は、ユーザが刺繍糸の種類を設定するための糸設定領域１５３と、ユーザがステッチを設定するためのステッチ設定領域１５５と、ユーザが線画のうち、どの領域をどの色の刺繍糸で刺繍するかを指定（設定）するための色設定領域１５７とで構成される。糸設定領域１５３には刺繍糸を示す画像が２０種類表示され、ステッチ設定領域１５５には、ステッチを示す画像が２０種類表示され、色設定領域１５７には、色を示す画像が２０種類表示されている。それぞれの領域において、任意の画像を選択することで、それに応じた刺繍データが生成される。
【００６６】
なお、この工程は、刺繍ミシン１１の性能や機能で便宜変更される。例えば、刺繍ミシン１１が、一種類の糸でしか刺繍できない場合、一種類のステッチでしか刺繍できない場合、一種類の糸色でしか刺繍できない場合などは上記糸設定領域１５３、上記ステッチ設定領域１５５、色設定領域１５７の選択が制限されたり、選択が不可能なる。
【００６７】
つぎに、図１０を参照して、本発明の線画刺繍システムを使用して完成したＴシャツ１６１について説明する。生成された刺繍データが刺繍ミシン制御装置７に送信されると、刺繍ミシン制御装置７は、その刺繍データに基づいて刺繍ミシン１１を制御する。刺繍ミシン１１は、刺繍ミシン制御装置７の制御に基づいて任意の刺繍対象に刺繍する。これにより、刺繍が完成すると、図１０に示すようなＴシャツ１６１が店員等からユーザに引き渡される。上記刺繍設定工程でステッチ設定領域１５５の所定の画像を選択した場合は、その所定の画像に応じた所定のステッチで刺繍が完成する。すなわち、ユーザの好みに応じた糸、ステッチ、色で刺繍されたＴシャツやＹシャツ等を提供することができる。
【００６８】
つぎに、図１１、図１２を参照して、本発明の線画刺繍システムの基本的な動作の第３例について説明する。この例は、ユーザ端末５が有するＷＷＷブラウザのみを用いて線画刺繍システムを利用した場合を示す。図１１は、未登録ユーザが本発明の線画刺繍システムを利用する場合を示す。
【００６９】
まず、ユーザは、ネットワーク３を介してサーバ１にユーザ端末５を接続し、認証画像において通信可能な状態にログインする（Ｓ５１）。ついで、ユーザは、画像読込画像において画像データをサーバ１に入力する（Ｓ５２）。
【００７０】
つぎに、サーバ１は、画像データが入力されると、その画像データに基づいて線画処理を行う（Ｓ５３）。ついで、ユーザがデジタルコンテンツを選択すると（Ｓ５４）、サーバ１は、線画合成手段３７で画像データとデジタルコンテンツとを合成する線画合成処理を行い（Ｓ５５）、その合成された線画をユーザ端末５に表示する（Ｓ５６）。ついで、ユーザは、その表示された線画を確認し（Ｓ５７）、サーバ１は線画データに基づいて刺繍データの生成を行う（Ｓ５８）。ついで、サーバ１は、料金の算出を行い（Ｓ５９）、ユーザは、料金の確認をする（Ｓ６０）。そして、ユーザによる料金の支払いが行われると（Ｓ６１）、サーバ１は、このユーザに関する情報をユーザデータベース１７に登録し（Ｓ６２）、ユーザ登録が行われる。ついで、サーバ１は、ＩＤ番号（パスワードを含む）をユーザに発行する（Ｓ６３）。ついで、サーバは、刺繍ミシン制御装置７に刺繍データを送信する（Ｓ６４）。刺繍ミシン１１は、刺繍ミシン制御装置７が刺繍データに基づいて刺繍ミシン１１の制御を開始することで、刺繍を開始する（Ｓ６５）。
【００７１】
つぎに、図１２を参照して、本発明の線画刺繍システムの基本的な動作の第４例について説明する。図１２は、登録ユーザが本発明の線画刺繍システムを利用する場合を示す。
【００７２】
まず、ユーザ端末５に後で図１３を参照して説明するインターネット認証画像が表示され、ユーザは、ネットワーク３を介してサーバ１にユーザ端末５を接続し、通信可能な状態にログインする（Ｓ７１）。つぎに、ユーザは、上記認証画像において、ＩＤ番号を入力する（Ｓ７２）。サーバ１は、ＩＤ番号の入力に基づいて認証を行う（Ｓ７３）。認証が成立した場合、ユーザ用線画データベース１９の中に記憶（格納）された線画データの中からＩＤ番号に対応する線画データを読み出して表示する（Ｓ７４）。
【００７３】
ついで、後で図１４を参照して説明する刺繍対象選択画像がユーザ端末５に表示され、ユーザは必要に応じて刺繍対象等を選択する（Ｓ７５）。つぎに、後で図１５を参照して説明する受取方法選択画像がユーザ端末５に表示され、ユーザは刺繍が施された商品を店に引き取りに行くか、宅配によって受け取るかを選択する（Ｓ７６）。つぎに、後で図１６を参照して説明する支払い方法選択画像がユーザ端末５に表示され、ユーザは料金の支払い方法を選択する（Ｓ７７）。ついで、後で図１７を参照して説明する内容確認画像がユーザ端末５に表示され（Ｓ７８）、ユーザが後述の図１７に示す送信ボタン１９７をクリックした場合、サーバ１は、刺繍データを生成する（Ｓ７９）。ついで、サーバ１は、料金の算出を行い（Ｓ８０）、ユーザは、料金の確認をする（Ｓ８１）。そして、ユーザによる料金の支払いが行われると（Ｓ８２）、サーバ１は、刺繍ミシン制御装置７に刺繍データを送信する（Ｓ８３）。刺繍ミシン１１は、刺繍ミシン制御装置７が刺繍データに基づいて刺繍ミシン１１の制御を開始することで、刺繍を開始する（Ｓ８４）。
【００７４】
つぎに、図１３を参照して、インターネット認証画像について説明する。インターネット認証画像は、ユーザがサーバ１にアクセスしたときに表示され、基本的に図５に示す認証画像と同じであるが、ＷＷＷブラウザで表示される。
【００７５】
つぎに、図１４を参照して、刺繍対象選択画像について説明する。刺繍対象選択画像は、ユーザが刺繍対象を選択するための刺繍対象選択領域１８１と、刺繍対象は既製品、すなわち店にある商品であるか否かをユーザが選択するための既製品選択領域１８３と、刺繍対象は配送等によってユーザが送付するものであるか否かをユーザが選択するための送付選択領域１８５と、刺繍対象はユーザが持参するものであるか否かをユーザが選択するための持参選択領域１８７と、刺繍対象が既製品である場合にその品番を選択するための品番選択領域１８９と、その既製品のサイズを選択するためのサイズ選択領域１９１と、刺繍対象がユーザが送付するものである場合にその送付日を選択するための送付日選択領域１９３と、その送付するために利用する宅配業者を選択するための宅配業者選択領域１９５と、上記選択した内容で決定するための送信ボタン１９７と、上記選択した内容をクリア（消去）するためのクリアボタン１９９と、上記ポインタ５２とで構成される。上記刺繍対象選択領域１８１、上記品番選択領域１８９、上記サイズ選択領域１９１、上記送付日選択領域１９３、上記宅配業者選択領域１９５は、いわゆるプルダウンメニューで構成されている。
【００７６】
つぎに、図１５を参照して、受取方法選択画像について説明する。受取方法選択画像は、刺繍が施された刺繍対象を店に引き取りに行くか否かを選択するための引取選択領域２００と、刺繍が施された刺繍対象を宅配によって受け取るか否かを選択するための受取選択領域２０１と、上記選択した内容で決定するための送信ボタン１９７と、上記選択した内容をクリア（消去）するためのクリアボタン１９９と、上記ポインタ５２とで構成される。
【００７７】
つぎに、図１６を参照して、支払い方法選択画像について説明する。支払い方法選択画像は、現金書留で料金の支払いを行う否かをユーザが選択するための現金書留選択領域２０２と、銀行振込で料金の支払いを行う否かをユーザが選択するための銀行振込選択領域２０３と、代金引換で料金の支払いを行う否かをユーザが選択するための代金引換選択領域２０５と、クレジットカードで料金の支払いを行う否かをユーザが選択するためのクレジットカード選択領域２０７と、ユーザがクレジットカード番号を入力するためのカード番号入力領域２０９と、ユーザがクレジットカードの暗証番号を入力するための暗証番号入力領域２１１と、上記送信ボタン１９７と、上記クリアボタン１９９と、上記ポインタ５２とで構成される。
【００７８】
つぎに、図１７を参照して、内容確認画像について説明する。内容確認画像は、ユーザが選択した内容を確認するための画像であり、上記刺繍対象、上記商品の受取方法、上記料金の支払い方法が表示される選択内容表示領域２２１と、上記送信ボタン１９７と、上記クリアボタン１９９と、上記ポインタ５２とで構成される。
【００７９】
上記システムおよび方法は、コンピュータ装置上で実行されるプログラムにより実現することができ、上記プログラムは、ＣＤ−ＲＯＭ等の記憶媒体や通信回線を介して供給することができる。
【００８０】
なお、上記各実施の形態では、各データベース１７，１９，２１，２５とウェブページ格納部２３とを１つのサーバ１内に設けた例を示したが、これに限定するものではなく、例えば、データベースが格納されたデータベースサーバとウェブページが格納されたウェブページサーバとを別個に設けるようにすることもできる。この場合、ウェブページサーバは、上記サーバ１内に設ける必要はなく、ネットワーク３上のいずれかの場所に存在すればよい。
【００８１】
また、上記各実施の形態では、ウェブページ格納部２３とプログラム格納部２５とを分離させているが、これに限定するものではなく、使用するページ記述言語やデータベースの制御方法によって、ウェブページ格納部２３とプログラム格納部２５とを同一としてもよい。
【００８２】
【発明の効果】
以上のように、本発明によれば、ネットワークを介してユーザ端末から受信した画像に関する情報に基づいて刺繍ミシンを制御することができる。したがって、刺繍ミシンに任意の刺繍対象をセットし、ユーザがネットワークを利用してユーザ端末から画像に関する情報を送信すると、画像に関する情報が表す画像が刺繍ミシンによって任意の刺繍対象に線画として刺繍される。これにより、ユーザは、例えばデジタルカメラで撮影した画像、いわゆるＣＧ（コンピュータグラフィックス）で予め作成した画像等を線画として任意の刺繍対象（例えば、Ｔシャツ、Ｙシャツ、ポロシャツ、ネクタイ等）に刺繍することができる。すなわち、ユーザにユーザの趣向に合致した刺繍を提供することができるとともに、ユーザは簡単に任意の刺繍対象に好みの刺繍をすることができる。
【図面の簡単な説明】
【図１】本発明のシステムの周辺構造を示す図である。
【図２】サーバを示すシステム構成図である。
【図３】本発明の方法の第１例を示すフローチャートである。
【図４】本発明の方法の第２例を示すフローチャートである。
【図５】ユーザ端末に表示される認証画像を示す図である。
【図６】ユーザ端末に表示される画像読込画像を示す図である。
【図７】ユーザ端末に表示される選択画像を示す図である。
【図８】ユーザ端末に表示される線画修正画像を示す図である。
【図９】ユーザ端末に表示される刺繍設定画像を示す図である。
【図１０】本発明のシステムにより刺繍が施されたＴシャツを示す図である。
【図１１】本発明の方法の第３例を示すフローチャートである。
【図１２】本発明の方法の第４例を示すフローチャートである。
【図１３】ＷＷＷブラウザを利用してユーザ端末に表示されるインターネット認証画像を示す図である。
【図１４】ＷＷＷブラウザを利用してユーザ端末に表示される刺繍対象選択画像を示す図である。
【図１５】ＷＷＷブラウザを利用してユーザ端末に表示される受取方法選択画像を示す図である。
【図１６】ＷＷＷブラウザを利用してユーザ端末に表示される支払い方法選択画像を示す図である。
【図１７】ＷＷＷブラウザを利用してユーザ端末に表示される内容確認画像を示す図である。
【符号の説明】
１    サーバ
３    ネットワーク
５    ユーザ端末（ショップ端末）
７    刺繍ミシン制御装置
１１    刺繍ミシン
１３    送受信制御部
１６    格納部
１７    ユーザデータベース
１９    ユーザ用線画データベース
２１    サーバ用線画データベース
２３    ウェブページ格納部
２５    プログラム格納部
２７    データ処理部
３１    認証手段
３３    線画情報生成手段
３５    データベース管理手段
３７    線画合成手段
３９    料金算出手段
４１    確認手段
４３    修正手段
４５    刺繍情報生成手段
５０    ＩＤ番号なし選択領域
５１    ＩＤ番号あり選択領域
５２    ポインタ
５３    ＩＤ番号入力領域
５５    ログインボタン
５８    画像表示領域
５９    工程表示領域
６１    読込画像編集操作領域
６３    戻るボタン
６５    進むボタン
６７    決定ボタン
６９    終了ボタン
７１    画像読込工程表示領域
７３    線画処理工程表示領域
７５    選択工程表示領域
７７    修正工程表示領域
７９    刺繍設定工程表示領域
８１    確認工程表示領域
８３    ＩＤ発行工程表示領域
８５    刺繍データ送信工程表示領域
９１    移動操作領域
９３    選択確認領域
９５    サイズ操作領域
９７    回転操作領域
９９    明るさ操作領域
１０１    画像効果操作領域
１０３    編集操作スクロールボタン
１１１    デジタルコンテンツ選択操作領域
１１３    文字表示領域
１１５    数字表示領域
１１７    第１コンテンツ表示領域
１１９    第２コンテンツ表示領域
１２１    第３コンテンツ表示領域
１２３    デジタルコンテンツスクロールボタン
１３１    線画修正領域
１３３    選択操作領域
１３５    消去操作領域
１３７    書込操作領域
１３９    拡大操作領域
１４１    縮小操作領域
１４３    修正操作スクロールボタン
１５１    刺繍設定領域
１５３    糸設定領域
１５５    ステッチ設定領域
１５７    色設定領域
１６１    Ｔシャツ
１８１    刺繍対象選択領域
１８３    既製品選択領域
１８５    送付選択領域
１８７    持参選択領域
１８９    品番選択領域
１９１    サイズ選択領域
１９３    送付日選択領域
１９５    宅配業者選択領域
１９７    送信ボタン
１９９    クリアボタン
２００    引取選択領域
２０１    受取選択領域
２０２    現金書留選択領域
２０３    銀行振込選択領域
２０５    代金引換選択領域
２０７    クレジットカード選択領域
２０９    カード番号入力領域
２１１    暗証番号入力領域
２２１    選択内容表示領域
【図１】
2004329580.tif 000003
【図２】
2004329580.tif 000004
【図３】
2004329580.tif 000005
【図４】
2004329580.tif 000006
【図５】
2004329580.tif 000007
【図６】
2004329580.tif 000008
【図７】
2004329580.tif 000009
【図８】
2004329580.tif 000010
【図９】
2004329580.tif 000011
【図１０】
2004329580.tif 000012
【図１１】
2004329580.tif 000013
【図１２】
2004329580.tif 000014
【図１３】
2004329580.tif 000015
【図１４】
2004329580.tif 000016
【図１５】
2004329580.tif 000017
【図１６】
2004329580.tif 000018
【図１７】
2004329580.tif 000019